(57)【要約】【課題】互いに異なる方向に存在しうる対象物を同時に記録すること、例えば、被写体と撮影者とを同時に記録することを可能にする。【解決手段】第１撮像ユニットＣ１と、第２撮像ユニットＣ２と、記録媒体Ｍ１、Ｍ２に対する記録を制御するコントローラＢ２とを備え、第１撮像ユニットＣ１及び第２撮像ユニットＣ２は、互いに異なる方向に向けることができるように配置されており、コントローラＢ２は、第１撮像ユニットＣ１によって得られる画像及び第２撮像ユニットＣ２によって得られる画像を記録媒体Ｍ１、Ｍ２の中から選択される任意の記録媒体に同時に記録する機能を有する。【選択図】図１
2006033611.tif 000002
【特許請求の範囲】
【請求項１】
光学像を電気的な画像情報として取り込んで記録する処理装置であって、
第１撮像ユニットと、
第２撮像ユニットと、
少なくとも２つの記録媒体に対する記録を制御するコントローラと、
を備え、前記第１撮像ユニット及び前記第２撮像ユニットは、互いに異なる方向に向けることができるように配置されており、
前記コントローラは、前記第１撮像ユニットによって得られる画像及び前記第２撮像ユニットによって得られる画像を前記少なくとも２つの記録媒体の中から選択される任意の記録媒体に同時に記録する機能を有することを特徴とする処理装置。
【請求項２】
前記少なくとも２つの記録媒体は、第１、第２記録媒体を含み、
前記コントローラは、前記第１、第２撮像ユニットのうちの一方によって得られる画像を前記第１、第２記録媒体のうちの一方に記録する場合において、前記第１、第２撮像ユニットのうちの他方によって得られる画像を前記第１、第２記録媒体のうちの他方に記録することを特徴とする請求項１に記載の処理装置。
【請求項３】
前記少なくとも２つの記録媒体は、第１、第２記録媒体を含み、
前記コントローラは、前記第１、第２撮像ユニットのうちの一方によって得られる画像を前記第１、第２記録媒体のうちの一方に記録することが指定された場合において、前記第１、第２撮像ユニットのうちの他方によって得られる画像を前記第１、第２記録媒体のうちの他方に記録することを特徴とする請求項１に記載の処理装置。
【請求項４】
前記第１撮像ユニットによって得られる画像を記録すべき記録媒体及び前記第２撮像ユニットによって得られる画像を記録すべき記録媒体を設定するための操作部を更に備えることを特徴とする請求項１に記載の処理装置。
【請求項５】
前記第１撮像ユニットによって得られる画像と前記第２撮像ユニットによって得られる画像とを合成する合成ユニットを更に備え、
前記少なくとも２つの記録媒体は、第１、第２記録媒体を含み、
前記コントローラは、前記第１、第２記録媒体の各々に対して、前記第１撮像ユニットによって得られる画像、前記第２撮像ユニットによって得られる画像、及び、前記合成ユニットによって得られる画像のいずれかを選択的に記録することを特徴とする請求項１に記載の処理装置。
【請求項６】
前記第１撮像ユニットによって得られる画像と前記第２撮像ユニットによって得られる画像とを合成する合成ユニットを更に備え、
前記コントローラは、前記第１撮像ユニットによって得られる画像及び第２撮像ユニットによって得られる画像の双方が前記少なくとも２つの記録媒体のうちの１つの記録媒体に記録することが指定された場合において、前記合成ユニットによって得られた画像を前記指定に係る記録媒体に記録することを特徴とする請求項１に記載の処理装置。
【請求項７】
前記第１撮像ユニットによって得られる画像と前記第２撮像ユニットによって得られる画像とを合成する合成ユニットを更に備え、
前記少なくとも２つの記録媒体は、第１、第２記録媒体を含み、
前記コントローラは、前記第１記録媒体及び前記第２記録媒体のうちの一方への記録ができない場合において、前記第１記録媒体及び前記第２記録媒体のうちの他方に対して前記合成ユニットによって得られる画像を記録することを特徴とする請求項１に記載の処理装置。
【請求項８】
前記コントローラは、前記第１撮像ユニットによって得られる画像と前記第２撮像ユニットによって得られる画像とを合成するモードが指定されている場合であって、かつ、前記第１記録媒体及び前記第２記録媒体のうちの一方への記録ができない場合において、前記第１記録媒体及び前記第２記録媒体のうちの他方に対して前記合成ユニットによって得られる画像を記録することを特徴とする請求項７に記載の処理装置。
【請求項９】
前記第１撮像ユニットによって得られる画像と前記第２撮像ユニットによって得られる画像を合成する合成ユニットと、
前記合成ユニットによって得られる画像を表示する表示ユニットとを更に備え、
前記合成ユニットは、更に、前記表示ユニットに表示される画像中の全体領域のうち前記第１撮像ユニットによる撮像に係る部分に、前記第１撮像ユニットによって得られる画像を記録すべき記録媒体を特定する情報を合成し、前記表示ユニットに表示される画像中の全体領域のうち前記第２撮像ユニットによる撮像に係る部分に、前記第２撮像ユニットによって得られる画像を記録すべき記録媒体を特定する情報を合成する、
ことを特徴とする請求項１に記載の処理装置。
【請求項１０】
前記合成ユニットは、前記第１撮像ユニットによって得られる画像及び前記第２撮像ユニットによって得られる画像の一方を親画像として他方を子画像として合成することを特徴とする請求項５乃至請求項９のいずれか１項に記載の処理装置。
【請求項１１】
パネルに配置された表示ユニットを更に備え、前記第１、第２撮像ユニットのうちの一方は、前記パネルに配置されていることを特徴とする請求項１乃至請求項８のいずれか１項に記載の処理装置。
【請求項１２】
電子カメラとして構成されていることを特徴とする請求項１乃至請求項１１のいずれか１項に記載の処理装置。
【請求項１３】
光学像を電気的な画像情報として取り込んで記録する処理方法であって、
互いに異なる方向に向けることができるように１つの処理装置に配置された第１、第２撮像ユニットによって得られるそれぞれの画像を少なくとも２つの記録媒体の中から選択される任意の記録媒体に同時に記録する工程を含むことを特徴とする処理方法。
【発明の詳細な説明】
【技術分野】
【０００１】
本発明は、光学像を電気的な画像情報として取り込んで記録する処理装置及び処理方法に関する。
【背景技術】
【０００２】
動画や静止画をデジタル信号として記録するデジタルスチルカメラ或いはデジタルムービーカメラ等の電子カメラは、被写体像（光学像）を撮影する撮像ユニット、撮像された画像信号を処理する画像処理ユニット、撮像された画像を表示するモニターユニット、撮像画像を記録し再生する記録再生ユニット等で構成されうる。撮像ユニットは、例えば、光学系（レンズ等）によりＣＣＤセンサやＣＭＯＳセンサ等の撮像素子の撮像面上に形成された画像を電気的な画像信号に変換して出力する。画像処理ユニットは、例えば、撮像ユニットから提供される画像信号をデジタル画像信号に変換し、更にシェーディング補正、色補正、輪郭強調、画素補間等の各種の画像処理の後に所定フォーマットに変換し記録媒体等に提供する。モニターユニットは、例えば、撮像された画像信号や記録媒体に記録された画像信号を可視画像として表示する。記録再生ユニットは、例えば、撮像された画像信号をＤＶフォーマット等の記録フォーマットに変換してテープやメモリカード等の記録媒体に記録したり、記録媒体に記録された画像信号を読み出したりする。
【０００３】
従来の電子カメラは、一般的には撮像素子を１つのみ備えている。このような電子カメラの使用においては、撮影者は、典型的には、モニター或いはファインダーで被写体を確認しながら被写体を撮影する。具体的には、撮影者は、ズーム操作やパンニング操作を行いながら被写体を所望の大きさで視野内に捉えながら被写体像を記録媒体に記録する。
【０００４】
電子カメラは、旅行先の風景、建物、人等の記録や、子供の成長過程或いは学校行事などを記録することに使用されることが多い。特に、このような使用形態において、撮影中に撮影者の画像を被写体の画像と一緒に記録したいという要望があると考えられる。このような要望に対して、一般的には、電子カメラを三脚等で固定するか撮影者が手で持ち、被写体（撮影者が撮影を行おうとする対象）と撮影者（撮影の為の操作を行う者）自身が電子カメラの視野内に入るようにして撮影が行われるだろう。電子カメラを三脚等で固定する場合には、リモコンの使用が便利であるかもしれない。
【０００５】
２つの撮像素子を備えた電子カメラに関する先行技術としては、平行な２つの光軸上にそれぞれ撮像光学系及び撮像素子を有する電子カメラ（撮像装置）に関するものがある（特許文献１参照）。
【特許文献１】特開平０５−１１０９３９号公報
【発明の開示】
【発明が解決しようとする課題】
【０００６】
１つの撮像素子しか備えない電子カメラや２つの平行な光軸上にそれぞれ撮像ユニットを配置した電子カメラにおいては、被写体の動きに合わせて電子カメラを被写体に向けるとともに電子カメラの視野内に撮影者自身が移動しなければならない。電子カメラを三脚で固定する場合には、被写体が移動する都度、電子カメラの視野内と電子カメラとの間を往復しながら電子カメラの向きや画角等を変更する必要がある。また、撮影者が手で電子カメラを持ちながら被写体と撮影者を電子カメラの視野内に入れながら撮影を行うことは非常に難しいと言える。
【０００７】
すなわち、従来の電子カメラは、被写体が動き回る場合などのように電子カメラの視野を絶えず変更する必要があるような状況下で被写体と撮影者を同時に撮影する使用形態に不向きである。したがって、一般的には、撮影者自信の撮影をあきらめ、撮影者自身については、その声のみを被写体の画像と同時に記録することになるであろう。
【０００８】
また、特許文献１に記載された撮像装置では、２つの撮像素子が使用されるものの、それらは互いに平行な光軸上に配置されるので、一般的に撮像装置から見て互いに異なる方向に位置する被写体と撮影者とを同時に捕捉することには適さない。
【０００９】
本発明は、上記の課題認識を基礎としてなされたものであり、互いに異なる方向に存在しうる対象物を同時に記録すること、例えば、被写体と撮影者とを同時に記録することを可能にすることを目的とする。
【課題を解決するための手段】
【００１０】
本発明の第１の側面は、光学像を電気的な画像情報として取り込んで記録する処理装置に係り、前記処理装置は、第１撮像ユニットと、第２撮像ユニットと、少なくとも２つの記録媒体に対する記録を制御するコントローラとを備え、前記第１撮像ユニット及び前記第２撮像ユニットは、互いに異なる方向に向けることができるように配置されており、前記コントローラは、前記第１撮像ユニットによって得られる画像及び前記第２撮像ユニットによって得られる画像を前記少なくとも２つの記録媒体の中から選択される任意の記録媒体に同時に記録する機能を有することを特徴とする。
【００１１】
本発明の好適な実施形態によれば、前記少なくとも２つの記録媒体は、第１、第２記録媒体を含み、前記コントローラは、前記第１、第２撮像ユニットのうちの一方によって得られる画像を前記第１、第２記録媒体のうちの一方に記録する場合において、前記第１、第２撮像ユニットのうちの他方によって得られる画像を前記第１、第２記録媒体のうちの他方に記録することが好ましい。
【００１２】
本発明の好適な実施形態によれば、前記少なくとも２つの記録媒体は、第１、第２記録媒体を含み、前記コントローラは、前記第１、第２撮像ユニットのうちの一方によって得られる画像を前記第１、第２記録媒体のうちの一方に記録することが指定された場合において、前記第１、第２撮像ユニットのうちの他方によって得られる画像を前記第１、第２記録媒体のうちの他方に記録することが好ましい。
【００１３】
本発明の好適な実施形態によれば、前記処理装置は、前記第１撮像ユニットによって得られる画像を記録すべき記録媒体及び前記第２撮像ユニットによって得られる画像を記録すべき記録媒体を設定するための操作部を更に備えることが好ましい。
【００１４】
本発明の好適な実施形態によれば、前記処理装置は、前記第１撮像ユニットによって得られる画像と前記第２撮像ユニットによって得られる画像とを合成する合成ユニットを更に備え、前記少なくとも２つの記録媒体は、第１、第２記録媒体を含み、前記コントローラは、前記第１、第２記録媒体の各々に対して、前記第１撮像ユニットによって得られる画像、前記第２撮像ユニットによって得られる画像、及び、前記合成ユニットによって得られる画像のいずれかを選択的に記録することが好ましい。
【００１５】
本発明の好適な実施形態によれば、前記処理装置は、前記第１撮像ユニットによって得られる画像と前記第２撮像ユニットによって得られる画像とを合成する合成ユニットを更に備え、前記コントローラは、前記第１撮像ユニットによって得られる画像及び第２撮像ユニットによって得られる画像の双方が前記少なくとも２つの記録媒体のうちの１つの記録媒体に記録することが指定された場合において、前記合成ユニットによって得られた画像を前記指定に係る記録媒体に記録することが好ましい。
【００１６】
本発明の好適な実施形態によれば、前記処理装置は、前記第１撮像ユニットによって得られる画像と前記第２撮像ユニットによって得られる画像とを合成する合成ユニットを更に備え、前記少なくとも２つの記録媒体は、第１、第２記録媒体を含み、前記コントローラは、前記第１記録媒体及び前記第２記録媒体のうちの一方への記録ができない場合において、前記第１記録媒体及び前記第２記録媒体のうちの他方に対して前記合成ユニットによって得られる画像を記録することが好ましい。ここで、前記コントローラは、前記第１撮像ユニットによって得られる画像と前記第２撮像ユニットによって得られる画像とを合成するモードが指定されている場合であって、かつ、前記第１記録媒体及び前記第２記録媒体のうちの一方への記録ができない場合において、前記第１記録媒体及び前記第２記録媒体のうちの他方に対して前記合成ユニットによって得られる画像を記録することが好ましい。
【００１７】
本発明の好適な実施形態によれば、前記処理装置は、前記第１撮像ユニットによって得られる画像と前記第２撮像ユニットによって得られる画像を合成する合成ユニットと、前記合成ユニットによって得られる画像を表示する表示ユニットとを更に備え、前記合成ユニットは、更に、前記表示ユニットに表示される画像中の全体領域のうち前記第１撮像ユニットによる撮像に係る部分に、前記第１撮像ユニットによって得られる画像を記録すべき記録媒体を特定する情報を合成し、前記表示ユニットに表示される画像中の全体領域のうち前記第２撮像ユニットによる撮像に係る部分に、前記第２撮像ユニットによって得られる画像を記録すべき記録媒体を特定する情報を合成することが好ましい。
【００１８】
本発明の好適な実施形態によれば、前記合成ユニットは、前記第１撮像ユニットによって得られる画像及び前記第２撮像ユニットによって得られる画像の一方を親画像として他方を子画像として合成することが好ましい。
【００１９】
本発明の好適な実施形態によれば、前記処理装置は、パネルに配置された表示ユニットを更に備え、前記第１、第２撮像ユニットのうちの一方は、前記パネルに配置されていることが好ましい。
【００２０】
本発明の好適な実施形態によれば、前記処理装置は、電子カメラとして構成されうる。
本発明の第２の側面は、光学像を電気的な画像情報として取り込んで記録する処理方法に係り、互いに異なる方向に向けることができるように１つの処理装置に配置された第１、第２撮像ユニットによって得られるそれぞれの画像を少なくとも２つの記録媒体の中から選択される任意の記録媒体に同時に記録する工程を含むことを特徴とする。
【発明の効果】
【００２１】
本発明によれば、互いに異なる方向に存在しうる対象物を同時に記録すること、例えば、被写体と撮影者とを同時に記録することを可能にすることができる。
【発明を実施するための最良の形態】
【００２２】
以下、本発明を実施するための最良と思われる実施形態を説明する。本発明の処理装置及び画像記録方法は、例えば、デジタルスチルカメラやデジタルムービーカメラ等の電子カメラ、このような電子カメラを含む画像処理装置や情報処理装置（例えば、パーソナルコンピュータ、携帯端末）等に適用されうる。以下では、本発明の好適な適用例として本発明の処理装置及び画像記録方法を電子カメラに適用した例を説明する。
【００２３】
（第１の実施形態）
図１は、本発明の好適な実施形態の電子カメラの構成を概略的に示す図である。この電子カメラ１００は、例えば、動画及び静止画を記録可能な電子カメラ（例えば、静止画記録機能を有するデジタルムービーカメラ或いはデジタルビデオカメラ）として具体化されうる。
【００２４】
電子カメラ１００は、互いに異なる方向に向けることが可能な複数の撮像ユニットを備える。図１に示す例では、電子カメラ１００は、２つの撮像ユニットを備えている。これらの撮像ユニットは、いずれも光学像を電気的な画像信号に変換するように構成されており、ＣＣＤセンサ又はＣＭＯＳセンサ等の撮像素子や、撮像素子の撮像面上に被写体（撮影対象物）の光学像を形成するための光学系の他、必要に応じて、自動露出機能や自動焦点機能等を含んで構成されうる。以下では、２つの撮像ユニットのうち第１の撮像ユニットをメインカメラＣ１と呼び、第２の撮像ユニットをサブカメラＣ２と呼ぶことにする。典型的には、メインカメラＣ１は、撮影者が撮影しようとする被写体（一般的には、撮影者自身以外の被写体）を撮影するために使用されうる。一方、サブカメラＣ２は、典型的には、撮影者自身を撮影するために使用されうる。
【００２５】
したがって、メインカメラＣ１は、その光軸を撮影者と被写体（撮影者以外の被写体）とを結ぶ仮想線に平行に向け易いように、或いは、被写体に向け易いように設計されることが好ましい。一方、サブカメラＣ２は、その光軸を当該サブカメラＣ２と撮影者とを結ぶ仮想線に平行に向け易いように、或いは、その光軸を撮影者に向け易いように設計されることが好ましい。最良の実施形態によれば、サブカメラＣ２は、一般的に撮影者に向けられる構成要素、好ましくは、画像表示ユニット（典型的には、後述のＬＣＤパネル）又はそれと一体の構成要素（開閉パネル）に組み込まれうる。
【００２６】
電子カメラ１００は、前述のメインカメラＣ１及びサブカメラＣ２の他に、電子カメラ１００内の各ブロックを制御するシステムコントローラＢ２、メインカメラＣ１及びサブカメラＣ２から画像信号（或いは映像信号）を受信し、これらの画像信号を個別に処理したり、合成したりする画像処理回路Ｂ１、画像処理回路Ｂ１から提供される画像信号（或いは画像データ）をＤＶデータ等の所定のフォーマットに変換してＤＶテープ等のテープ（テープ型記録媒体）Ｍ１に記録したり、テープＭ１から画像信号を読み取ったりするテープコントローラＢ３と、画像処理回路Ｂ１から提供される画像信号（或いは画像データ）をＳＤカードやＭＭＣカード等のメモリカード（半導体型記録媒体）Ｍ２に記録したり、メモリカードＭ２から画像信号を読み取ったりするカードコントローラＢ４等を備えている。ここで、システムコントローラＢ２は、メインカメラＣ１及びサブカメラＣ２に同時に撮像を実行させるようにそれらを制御すること、及び、メインカメラＣ１及びサブカメラＣ２のいずれか一方に選択的に撮像を実行させるようにそれらを制御すること、ができるように構成されている。
【００２７】
また、電子カメラ１００は、メインカメラＣ１及び／又はサブカメラＣ２で現在撮像している画像（映像）を表示したり、テープＭ１やメモリカードＭ２に記録された画像を再生表示したり、撮影モード等の設定のための情報を表示したりする画像表示ユニットとしてのＬＣＤパネルＶ１、メインカメラＣ１及び／又はサブカメラＣ２で現在撮像している画像（映像）をファインダー内に表示する画像表示ユニットとしての電子ファインダー（ＥＶＦ）Ｖ２、撮影モード等を設定、確認等するための複数のスイッチＳＷ１〜ＳＷ４を含むスイッチ部（操作部）ＳＷ、モード等の撮影者に提供すべき情報を示す文字データ等の合成用データを発生する合成用データ発生回路（ＣＧ）Ｂ５を備えている。
【００２８】
スイッチ部ＳＷ及びＬＣＤパネルＶ１等によって構成されるユーザインターフェースが構成されうる。例えば、スイッチＳＷ１の押下により複数の選択項目を含むメニュー画面をＬＣＤパネルＶ１に表示し、ＳＷ２、ＳＷ３の押下によりメニュー画面上で選択されている項目を切り替え、ＳＷ４の押下により項目の選択を確定させることができる。或いは、ＳＷ１を記録開始スイッチ、ＳＷ２をサブカメラＯＮ／ＯＦＦスイッチ、ＳＷ３を画像合成機能ＯＮ／ＯＦＦスイッチ、ＳＷ４を記録媒体の選択スイッチ等として割り当て、その他に、メニュー表示のＯＮ／ＯＦＦスイッチや、メニュー項目の選択スイッチ等を設けてもよい。
図２は、電子カメラ１００におけるメインカメラＣ１及びサブカメラＣ２によってそれぞれ撮像された画像の表示方法を概念的に示す図である。電子カメラ１００は、操作者がスイッチ部ＳＷを操作することによって設定されたモードに応じて、メインカメラＣ１及びサブカメラＣ２によって同時に撮像された画像をＰｉｎＰ（ピクチャーインピクチャー）画像合成してＬＣＤパネルＶ１や電子ファインダーＶ２に表示したり、又は、そのような画像合成を行わずに、メインカメラＣ１の画像をＬＣＤパネルＶ１や電子ファインダーＶ２に表示したり、サブカメラＣ２の画像をＬＣＤパネルＶ１や電子ファインダーＶ２に表示したりすることができるように構成されている。
【００２９】
図２において、画像Ｄ１は、ＬＣＤパネルＶ１及び／又は電子ファインダーＶ２に表示されうるＰｉｎＰ画像であって、メインカメラＣ１の画像ＩＭの中にサブカメラＣ２の画像ＩＳをＰｉｎＰ処理（ピクチャーインピクチャー処理）によりはめ込んだ画像の一例である。
【００３０】
図２において、画像Ｄ２は、ＬＣＤパネルＶ１及び／又は電子ファインダーＶ２に表示されうるＰｉｎＰ画像であって、サブカメラＣ２の画像ＩＳ中にメインカメラＣ１の画像ＩＭをＰｉｎＰ処理（ピクチャーインピクチャー処理）によりはめ込んだ画像の一例である。
【００３１】
ＰｉｎＰ処理において、メインカメラＣ１によって撮像された画像及びサブカメラＣ２によって撮像された画像のいずれを親画像とするかは、スイッチ部ＳＷ及びＬＣＤパネルＶ１等によって構成されるユーザインターフェースを介して撮影者によって設定され得る。
【００３２】
図３は、本発明の好適な実施形態の電子カメラ１００の概観の設計例及び機能を説明するための図である。
【００３３】
図３に示す構成例では、サブカメラＣ２は、その光軸がＬＣＤパネルＶ１の表示面の法線方向と平行になるように、ＬＣＤパネルＶ１が組み込まれた開閉パネルＰに配置されている。撮影者がＬＣＤパネルＶ１に表示される撮像画像を見ながら撮影を行う場合、通常は、ＬＣＤパネルＶ１は、その表示面の法線方向が撮影者の目に向くように方向を調整されうる。したがって、このような通常の撮影スタイルによれば、サブカメラＣ２によって撮影者を撮像可能である。
【００３４】
開閉パネルＰは、電子カメラ１００のフレーム（或いは筐体）ＦによってヒンジＨ等の連結機構を介して、方向を変更自在に支持されている。したがって、サブカメラＣ２は、ＬＣＤパネルＶ１とともに方向を変更可能に構成されている。
【００３５】
電子カメラ１００は、ＬＣＤパネルＶ１が組み込まれた開閉パネルＰの開閉パネルＰの開閉を検知する開閉検知センサ（例えば、スイッチ）ＰＳＷを有し、システムコントローラＢ２は、開閉検知センサＰＳＷの出力に基づいて開閉パネルＰの開閉を検知することができる。開閉パネルＰが開かれて撮影者がＬＣＤパネルＶ１を見ることができる状態において、撮像中の画像はＬＣＤパネルＶ１に表示されうる。したがって、典型的には、開閉パネルＰの開かれた状態では、撮影者は、ＬＣＤパネルＶ１に表示される画像を見ながら撮影を行うことになる。そして、この状態では、サブカメラＣ２は、典型的には、撮影者を視野内に捕らえることになる。
【００３６】
システムコントローラＢ２は、開閉検知センサＰＳＷの出力に基づいて開閉パネルＰが開かれたことを検知すると、撮影者がサブカメラＣ２をＯＮ状態にすることを可能にする。一方、システムコントローラＢ２は、開閉検知センサＰＳＷの出力に基づいて開閉パネルＰが閉じられたことを検知すると、サブカメラＣ２がＯＮ状態にされることを禁止する（サブカメラＣ２がＯＮ状態であった場合には、強制的にＯＦＦ状態にする）。
【００３７】
したがって、この実施形態によれば、撮影者は、開閉パネルＰを開閉することにより、或いは、ＬＣＤパネルＶ１をＯＮ／ＯＦＦすることにより、スイッチ部ＳＷを操作してサブカメラＣ２のＯＮ／ＯＦＦを切り替えることができる状態になる。
【００３８】
サブカメラＣ２がＯＮされた状態では、撮影者は、メインカメラＣ１で被写体（典型的には、撮影者以外の被写体）を撮影しながらサブカメラＣ２で撮影者自身を撮影することができる。
【００３９】
メインカメラＣ１で撮像された画像ＩＭ、サブカメラＣ２で撮像された画像ＩＳのうち一方の画像は、テープＭ１、メモリカードＭ２のうちの一方の記録媒体に記録され、メインカメラＣ１で撮像された画像ＩＭ、サブカメラＣ２で撮像された画像ＩＳのうち他方の画像は、テープＭ１、メモリカードＭ２のうちの他方の記録媒体に記録される。メインカメラＣ１で撮像された画像ＩＭ、サブカメラＣ２で撮像された画像ＩＳをそれぞれテープＭ１、メモリカードＭ２のうちいずれの記録媒体に記録するかは、例えば、スイッチ部ＳＷ及びＬＣＤパネルＶ１等によって構成されるユーザインターフェースを介して撮影者によって設定され得る。
【００４０】
この実施形態では、メインカメラＣ１で撮像された画像ＩＭ、サブカメラＣ２で撮像された画像ＩＳの一方の画像は、互いに異なる記録媒体に記録されるが、画像ＩＭ及び画像ＩＳは、ＰｉｎＰ画像として合成されてＬＣＤパネルＶ１及び／又は電子ファインダーＶ２に表示される。
【００４１】
図４は、画像処理回路Ｂ１の構成例を概略的に示すブロック図である。メインカメラＣ１では、レンズ（光学ユニット）２１Ｌによって被写体像（典型的には、撮影者が撮影しようとする被写体の像）が撮像素子（例えば、ＣＣＤセンサ、ＣＭＯＳセンサ）２１Ｓの撮像面に結像され、撮像素子２１Ｓによって電気的な画像信号に変換され、処理回路２１Ｐにおいて所定の画像処理が施され、画像データとしてメインカメラ用画像メモリ３１に逐次格納される。ここで、画像メモリ３１に格納された画像データは、所定の周期で新しい画像データによって上書きされる。ここで、撮像素子２１Ｓ、処理回路２１Ｐ及び画像メモリ３１は、システムコントローラＢ２によって制御される。
【００４２】
サブカメラＣ２では、レンズ（光学ユニット）２２Ｌによって被写体像（典型的には、撮影者の像）が撮像素子（例えば、ＣＣＤセンサ、ＣＭＯＳセンサ）２２Ｓの撮像面に結像され、撮像素子２２Ｓによって電気的な画像信号に変換され、処理回路２２Ｐにおいて所定の画像処理が施され、画像データとしてサブカメラ用画像メモリ３２に逐次格納される。ここで、画像メモリ３２に格納された画像データは、所定の周期で新しい画像データによって上書きされる。ここで、撮像素子２２Ｓ、処理回路２２Ｐ及び画像メモリ３２は、システムコントローラＢ２によって制御される。
【００４３】
このように、メインカメラＣ１用に処理回路２１Ｐ及び画像メモリ３１を設け、サブカメラＣ２用に処理回路２２Ｐ及び画像メモリ３２を設け、これらをシステムコントローラＢ２が同時に制御することにより、メインカメラＣ１及びサブカメラＣ２によって同時に撮像を実行することができる。
【００４４】
図５は、電子カメラ１００における画像の表示及び記録に関する処理の流れを示す例示的に示すフローチャートであり、この処理は、システムコントローラＢ２によって制御される。
【００４５】
この例は、メインカメラＣ１によって撮像される画像とサブカメラＣ２によって撮像される画像とが別個の記録媒体に同時に記録される同時記録モードにおける処理に関する。同時記録モードでは、メインカメラＣ１の画像を記録する記録媒体が設定されると、サブカメラ画像Ｃ２の画像を記録する記録媒体は、メインカメラＣ１の画像を記録する記録媒体とは異なる記録媒体に設定される。ただし、これとは、逆に、サブカメラＣ２の画像を記録する記録媒体を決定する設定に従って、メインカメラ画像Ｃ１の画像を記録する記録媒体がサブカメラＣ２の画像を記録する記録媒体とは異なる記録媒体に設定されてもよい。
【００４６】
また、この例では、同時記録モードにおいて、ＬＣＤパネルＶ１及び／又は電子ファインダーＶ２には、メインカメラＣ１の画像とサブカメラＣ２の画像とをＰｉｎＰ処理によって合成した画像が表示される。
【００４７】
ステップＳ５０１では、システムコントローラＢ２は、ＰｉｎＰ画像の親画像とすべき画像を提供するカメラが、メインカメラＣ１であるか、サブカメラＣ２でるかを判断し、メインカメラＣ１である場合にはステップＳ５０２に処理を進め、サブカメラＣ２である場合にはステップＳ５０３に処理を進める。ここで、親画像とすべき画像を提供するカメラの設定は、スイッチ部ＳＷの操作によってなされ得る。
ステップＳ５０２では、システムコントローラＢ２による制御の下で、画像画像処理回路Ｂ１の合成処理ブロック７０において、メインカメラ用画像メモリ３１内に格納されたメインカメラＣ１の画像データが画像合成回路５０により画像合成用メモリ６０に転送される一方、サブカメラ用画像メモリ３２内に格納されたサブカメラＣ２の画像データがリサイズ処理回路４２によりリサイズ（子画像データを得るために画素数を減少させるリサイズ）された後に画像合成回路５０により画像合成用メモリ６０内のＰｉｎＰ位置に対応するアドレスに転送される。これにより、メインカメラＣ１によって撮像された画像を親画像、サブカメラＣ２によって撮像された画像を子画像とする合成画像（ＰｉｎＰ画像）の画像データが生成される。この合成画像に対しては、現在のモードを示す情報として、図７（ａ）に示すように、メインカメラＣ１及びサブカメラＣ２の画像が同時に記録されることを示す“同時記録”、メインカメラＣ１の画像であることを示す”メイン”、及び、サブカメラＣ２の画像であることを示す”サブ”等の情報を更に合成することが好ましい。また、”同時記録”、”メイン”、”サブ”の表記に代えて、これと同義の情報（例えば、文字列、記号）を表示していもよい。このような情報は、合成用データ発生回路（ＣＧ）Ｂ５によって生成される。このような情報の合成を実施するか否かは、スイッチ部ＳＷ及びＬＣＤパネルＶ１等によって構成されるユーザインターフェースを介して撮影者によって設定され得る。
【００４８】
ステップＳ５０３では、システムコントローラＢ２による制御の下で、画像処理か色Ｂ１の画像合成処理ブロック７０において、サブカメラ用画像メモリ３２に格納されたサブカメラＣ２の画像データがリサイズ処理回路４２によりリサイズ（親画像データを得るために画素数を増加させるリサイズ）された後に画像合成回路５０により画像合成用メモリ６０内に転送される一方、メインカメラ用画像メモリ３１内に格納されたメインカメラＣ１の画像データがリサイズ（子画像データを得るために画素数を減少させるリサイズ）された後に画像合成用メモリ６０内のＰｉｎＰ位置に対応するアドレスに転送される。これにより、サブカメラＣ２によって撮像された画像を親画像、メインカメラＣ１によって撮像された画像を子画像とする合成画像（ＰｉｎＰ画像）の画像データが生成される。この合成画像に対しては、現在のモードを示す情報として、図７（ｂ）に示すように、メインカメラＣ１及びサブカメラＣ２の画像が同時に記録されることを示す“同時記録”、メインカメラＣ１の画像であることを示す”メイン”、及び、サブカメラＣ２の画像であることを示す”サブ”等の情報を更に合成することが好ましい。また、”同時記録”、”メイン”、”サブ”の表記に代えて、これと同義の情報（例えば、文字列、記号）を表示していもよい。このような情報は、合成用データ発生回路（ＣＧ）Ｂ５によって生成される。このような情報の合成を実施するか否かは、撮影者がスイッチ部ＳＷを操作することにより選択可能にしてもよい。
【００４９】
ステップＳ５０４では、システムコントローラＢ２は、メインカメラＣ１の画像を記録すべき記録媒体としてテープＭ１が選択されているか、メモリカードＭ２が選択されているかを判断し、テープＭ１が選択されている場合にはステップＳ５０５に処理を進め、メモリカードＭ２が選択されている場合にはステップＳ５０７に処理を進める。メインカメラＣ１の画像を記録すべき記録媒体の設定は、スイッチ部ＳＷ及びＬＣＤパネルＶ１等によって構成されるユーザインターフェースを介して撮影者によって設定され得る。
【００５０】
ステップＳ５０５では、システムコントローラＢ２は、サブカメラＣ２の画像を記録する記録媒体をメモリカードＭ２に設定する。すなわち、この実施形態では、同時記録モードにおいて、メインカメラＣ１の画像を記録すべき記録媒体（ステップＳ５０５が実行される場合には、テープＭ１）が設定されている場合に、サブカメラＣ２の画像を記録すべき記録媒体を他の記録媒体（ステップＳ５０５では、メモリカードＭ２）に自動設定する。
ステップＳ５０６では、システムコントローラＢ２は、合成用データ発生回路（ＣＧ）Ｂ５を制御して、メインカメラＣ１の画像を記録する記録媒体（ステップＳ５０６が実行される場合は、テープＭ１）を示す情報（例えば、文字、記号）ＩＭ１を発生させるとともに、サブカメラＣ２の画像を記録する記録媒体（ステップＳ５０６が実行される場合は、メモリカードＭ２）を示す情報（例えば、文字、記号）ＩＭ２を発生させる。更に、システムコントローラＢ２は、画像合成回路５０を制御して、合成用画像データ発生回路（ＣＧ）Ｂ５が発生した情報をＬＣＤパネルＶ１及び／又は電子ファインダーＶ２に表示すべきＰｉｎＰ画像に合成させる。これにより、ＬＣＤパネルＶ１及び／又は電子ファインダーＶ２には、図７（ｃ）に例示的に示す画像が表示されることになる。ここで、メインカメラＣ１の画像を記録する記録媒体を示す情報（ステップＳ５０６が実行される場合は、ＩＭ１）は、メインカメラＣ１の画像に合成され、サブカメラＣ２の画像を記録する記録媒体を示す情報（ステップＳ５０６が実行される場合は、ＩＭ２）は、サブカメラＣ２の画像に合成されることが好ましく、このような表示方法によれば、メインカメラＣ１、サブカメラＣ２の画像がそれぞれどの記録媒体に記録されるのかを撮影者に認識させやすい。
【００５１】
ステップＳ５０７では、システムコントローラＢ２は、サブカメラＣ２の画像を記録する記録媒体をテープＭ１に設定する。すなわち、この実施形態では、同時記録モードにおいて、メインカメラＣ１の画像を記録すべき記録媒体（ステップＳ５０７が実行される場合には、メモリカードＭ２）が設定されている場合に、サブカメラＣ２の画像を記録すべき記録媒体を他の記録媒体（ステップＳ５０５では、テープＭ１）に自動設定する。
【００５２】
ステップＳ５０８では、システムコントローラＢ２は、合成用データ発生回路（ＣＧ）Ｂ５を制御して、メインカメラＣ１の画像を記録する記録媒体（ステップＳ５０６が実行される場合は、メモリカードＭ２）を示す情報（例えば、文字、記号）ＩＭ２を発生させるとともに、サブカメラＣ２の画像を記録する記録媒体（ステップＳ５０６が実行される場合は、テープＭ１）を示す情報（例えば、文字、記号）ＩＭ１を発生させる。更に、システムコントローラＢ２は、画像合成回路５０を制御して、合成用画像データ発生回路（ＣＧ）Ｂ５が発生した情報をＬＣＤパネルＶ１及び／又は電子ファインダーＶ２に表示すべきＰｉｎＰ画像に合成させる。これにより、ＬＣＤパネルＶ１及び／又は電子ファインダーＶ２には、図７（ｄ）に例示的に示す画像が表示されることになる。ここで、メインカメラＣ１の画像を記録する記録媒体を示す情報（ステップＳ５０８が実行される場合は、ＩＭ２）は、メインカメラＣ１の画像に合成され、サブカメラＣ２の画像を記録する記録媒体を示す情報（ステップＳ５０８が実行される場合は、ＩＭ１）は、サブカメラＣ２の画像に合成されることが好ましく、このような表示方法によれば、メインカメラＣ１、サブカメラＣ２の画像がそれぞれどの記録媒体に記録されるのかを撮影者に認識させやすい。
【００５３】
ステップＳ５０９では、システムコントローラＢ２は、メインカメラＣ１の画像を記録すべき記録媒体としてテープＭ１が選択されているか、メモリカードＭ２が選択されているかを判断し、テープＭ１が選択されている場合にはステップＳ５１０に処理を進め、メモリカードＭ２が選択されている場合にはステップＳ５１２に処理を進める。
【００５４】
ステップＳ５１０では、システムコントローラＢ２は、サブカメラＣ２の画像を記録する記録媒体をメモリカードＭ２に設定する。すなわち、この実施形態では、同時記録モードにおいて、メインカメラＣ１の画像を記録すべき記録媒体（ステップＳ５１０が実行される場合には、テープＭ１）が設定されている場合に、サブカメラＣ２の画像を記録すべき記録媒体を他の記録媒体（ステップＳ５１０では、メモリカードＭ２）に自動設定する。
【００５５】
ステップＳ５１１では、システムコントローラＢ２は、合成用データ発生回路（ＣＧ）Ｂ５を制御して、メインカメラＣ１の画像を記録する記録媒体（ステップＳ５１１が実行される場合は、テープＭ１）を示す情報（例えば、文字、記号）ＩＭ１を発生させるとともに、サブカメラＣ２の画像を記録する記録媒体（ステップＳ５１１が実行される場合は、メモリカードＭ２）を示す情報（例えば、文字、記号）ＩＭ２を発生させる。更に、システムコントローラＢ２は、画像合成回路５０を制御して、合成用画像データ発生回路（ＣＧ）Ｂ５が発生した情報をＬＣＤパネルＶ１及び／又は電子ファインダーＶ２に表示すべきＰｉｎＰ画像に合成させる。これにより、ＬＣＤパネルＶ１及び／又は電子ファインダーＶ２には、図７（ｅ）に例示的に示す画像が表示されることになる。ここで、メインカメラＣ１の画像を記録する記録媒体を示す情報（ステップＳ５１１が実行される場合は、ＩＭ１）は、メインカメラＣ１の画像に合成され、サブカメラＣ２の画像を記録する記録媒体を示す情報（ステップＳ５１１が実行される場合は、ＩＭ２）は、サブカメラＣ２の画像に合成されることが好ましく、このような表示方法によれば、メインカメラＣ１、サブカメラＣ２の画像がそれぞれどの記録媒体に記録されるのかを撮影者に認識させやすい。
【００５６】
ステップＳ５１２では、システムコントローラＢ２は、サブカメラＣ２の画像を記録する記録媒体をテープＭ１に設定する。すなわち、この実施形態では、同時記録モードにおいて、メインカメラＣ１の画像を記録すべき記録媒体（ステップＳ５１２が実行される場合には、メモリカードＭ２）が設定されている場合に、サブカメラＣ２の画像を記録すべき記録媒体を他の記録媒体（ステップＳ５１２では、テープＭ１）に自動設定する。
【００５７】
ステップＳ５１３では、システムコントローラＢ２は、合成用データ発生回路（ＣＧ）Ｂ５を制御して、メインカメラＣ１の画像を記録する記録媒体（ステップＳ５１３が実行される場合は、メモリカードＭ２）を示す情報（例えば、文字、記号）ＩＭ２を発生させるとともに、サブカメラＣ２の画像を記録する記録媒体（ステップＳ５１３が実行される場合は、テープＭ１）を示す情報（例えば、文字、記号）ＩＭ１を発生させる。更に、システムコントローラＢ２は、画像合成回路５０を制御して、合成用画像データ発生回路（ＣＧ）Ｂ５が発生した情報をＬＣＤパネルＶ１及び／又は電子ファインダーＶ２に表示すべきＰｉｎＰ画像に合成させる。これにより、ＬＣＤパネルＶ１及び／又は電子ファインダーＶ２には、図７（ｆ）に例示的に示す画像が表示されることになる。ここで、メインカメラＣ１の画像を記録する記録媒体を示す情報（ステップＳ５１３が実行される場合は、ＩＭ２）は、メインカメラＣ１の画像に合成され、サブカメラＣ２の画像を記録する記録媒体を示す情報（ステップＳ５１３が実行される場合は、ＩＭ１）は、サブカメラＣ２の画像に合成されることが好ましく、このような表示方法によれば、メインカメラＣ１、サブカメラＣ２の画像がそれぞれどの記録媒体に記録されるのかを撮影者に認識させやすい。
【００５８】
ステップＳ５１４では、システムコントローラＢ２による制御の下で、メインカメラＣ１の画像をテープコントローラＢ３によって所定のデータフォーマット（例えば、ＤＶデータ）でテープＭ１に記録し、サブカメラＣ２の画像をカードコントローラＢ４によって所定のフォーマット（例えば、ＭＰＥＧデータ）でメモリカードＭ２に記録する。
【００５９】
ステップＳ５１５では、システムコントローラＢ２による制御の下で、メインカメラＣ１の画像をカードコントローラＢ４によって所定のフォーマット（例えば、ＭＰＥＧデータ）でメモリカードＭ２に記録し、サブカメラＣ２の画像をテープコントローラＢ３によって所定のデータフォーマット（例えば、ＤＶデータ）でテープＭ１に記録する。
なお、画像を動画像として記録する場合には、典型的には、録画の開始指示から終了指示までの間の期間にわたって画像が連続的に各記録媒体に記録される。また、記録媒体に記録される画像は、典型的には、合成用データ発生回路（ＣＧ）Ｂ５によって生成された情報（画像）を含まない画像である。
この実施形態では、記録媒体の例として、テープとメモリカードを挙げているが、記録媒体の種類はこれに限定されず、例えば、ＤＶＤやハードディスク装置等の種々の記録媒体を使用することができる。
（第２の実施形態）
この実施形態で特に言及しない事項は、第１の実施形態に従い得る。
図４を参照しながら、この実施形態における画像処理回路Ｂ１の動作を説明する。メインカメラＣ１では、レンズ（光学ユニット）２１Ｌによって被写体像（典型的には、撮影者が撮影しようとする被写体の像）が撮像素子（例えば、ＣＣＤセンサ、ＣＭＯＳセンサ）２１Ｓの撮像面に結像され、撮像素子２１Ｓによって電気的な画像信号に変換され、処理回路２１Ｐにおいて所定の画像処理が施され、画像データとしてメインカメラ用画像メモリ３１に逐次格納される。ここで、画像メモリ３１に格納された画像データは、所定の周期で新しい画像データによって上書きされる。ここで、撮像素子２１Ｓ、処理回路２１Ｐ及び画像メモリ３１は、システムコントローラＢ２によって制御される。
【００６０】
サブカメラＣ２では、レンズ（光学ユニット）２２Ｌによって被写体像（典型的には、撮影者の像）が撮像素子（例えば、ＣＣＤセンサ、ＣＭＯＳセンサ）２２Ｓの撮像面に結像され、撮像素子２２Ｓによって電気的な画像信号に変換され、処理回路２２Ｐにおいて所定の画像処理が施され、画像データとしてサブカメラ用画像メモリ３２に逐次格納される。ここで、画像メモリ３２に格納された画像データは、所定の周期で新しい画像データによって上書きされる。ここで、撮像素子２２Ｓ、処理回路２２Ｐ及び画像メモリ３２は、システムコントローラＢ２によって制御される。
【００６１】
このように、メインカメラＣ１用に処理回路２１Ｐ及び画像メモリ３１を設け、サブカメラＣ２用に処理回路２２Ｐ及び画像メモリ３２を設け、これらをシステムコントローラＢ２が同時に制御することにより、メインカメラＣ１及びサブカメラＣ２によって同時に撮像を実行することができる。
【００６２】
画像メモリ３１、３２に格納された画像データは、それぞれメインカメラ画像データ、サブカメラ画像データとして、テープコントローラＢ３、カードコントローラＢ４に提供され、テープＭ１、メモリカードＭ２に記録されうる。
【００６３】
画像合成モードが選択されている場合は、メイン画像データ及びサブ画像データが必要に応じてリサイズ処理回路４１、４２によってリサイズされた後に、画像合成回路５０によって画像合成用メモリ６０上にＰｉｎＰ合成して記録される。これにより、画像合成用メモリ６０上にＰｉｎＰ合成された画像データが生成される。合成された画像データは、テープコントローラＢ３又はカードコントローラＢ４に提供され、テープＭ１又はメモリカードＭ２に記録されうる。
【００６４】
この実施形態では、メインカメラＣ１、サブカメラＣ２の各画像を記録する記録媒体についての設定、及び／又は、各記録媒体の状態（例えば、記録可能残量（空き容量）、記録の可否等）、及び／又は、２つの画像を合成画像として記録するか否かに関する設定、等の各種の設定及び／又は状態に応じて、画像の記録を制御する。
【００６５】
図６は、電子カメラ１００における画像の表示及び記録に関する処理の流れを示す例示的に示すフローチャートであり、この処理は、システムコントローラＢ２によって制御される。
【００６６】
ステップＳ６０１では、システムコントローラＢ２は、ＬＣＤパネルＶ１が組み込まれた開閉パネルＰの開閉パネルＰの開閉を検知する開閉検知センサＰＳＷの出力に基づいて開閉パネルＰが開いているか閉じているかを判断する。システムコントローラＢ２は、開閉パネルＰが開いている場合にはステップＳ６０２に処理を進め、開閉パネルＰが閉じている場合にはステップＳ６１８に処理を進める。
【００６７】
ステップＳ６０２では、システムコントローラＢ２は、スイッチ部ＳＷの操作或いはモードの選択等により、サブカメラＣ２をＯＮすることが指示されているかＯＦＦすることが指示されているかを判断する。そして、システムコントローラＢ２はは、サブカメラＣ２をＯＮすることが指示されている場合にはステップＳ６０３に処理を進め、サブカメラＣ２をＯＦＦすることが指示されている場合にはステップＳ６１８に処理を進める。ここで、サブカメラＣ２がＯＮされた場合には、２つのカメラＣ１、Ｃ２で撮像される画像を記録する同時記録モードに移行する。一方、サブカメラＣ２がＯＦＦされている場合は、メインカメラＣ１によって撮像される画像のみを記録する通常記録モードに移行する。
【００６８】
ステップＳ６０３では、システムコントローラＢ２は、メインカメラＣ１の画像を記録する記録媒体についての設定を確認する。ここで、メインカメラＣ１の画像を記録する記録媒体は、スイッチ部ＳＷ及びＬＣＤパネルＶ１等によって構成されるユーザインターフェースを介して撮影者によって設定され得る。サブカメラＣ２の画像を記録する記録媒体の設定についても同様である。システムコントローラＢ２は、記録媒体としてテープＭ１が設定されている場合にはステップＳ６０４に処理を進め、記録媒体としてメモリカードＭ２が設定されている場合にはステップＳ６０５に処理を進める。
【００６９】
ステップＳ６０４では、システムコントローラＢ２は、サブカメラＣ２の画像を記録する記録媒体についての設定を確認し、記録媒体としてテープＭ１が設定されている場合にはステップＳ６０６に処理を進め、記録媒体としてメモリカードＭ２が設定されている場合にはステップＳ６０８に処理を進める。
【００７０】
ステップＳ６０５では、システムコントローラＢ２は、サブカメラＣ２の画像を記録する記録媒体についての設定を確認し、記録媒体としてテープＭ１が設定されている場合にはステップＳ６０８に処理を進め、記録媒体としてメモリカードＭ２が設定されている場合にはステップＳ６１２に処理を進める。
【００７１】
ステップＳ６０６では、システムコントローラＢ２は、例えばテープＭ１の有無、空き容量、書き込みが禁止されているか否か等を確認することにより、テープＭ１への記録が可能か否かを判断し、記録が可能な場合にはステップＳ６０７に処理を進め、記録が可能でない場合にはステップＳ６２２に処理を進める。
【００７２】
ステップＳ６０７では、メインカメラＣ１の画像とサブカメラＣ２の画像の双方をテープＭ１に記録するために、システムコントローラＢ２は、画像合成回路５０を含む画像処理回路Ｂ１を制御して、メインカメラＣ１の画像とサブカメラＣ２の画像を合成したＰｉｎＰ画像を生成させ、テープコントローラＢ３を制御して、そのＰｉｎＰ画像をテープＭ１に記録させる。
【００７３】
ステップＳ６０８では、システムコントローラＢ２は、例えばテープＭ１の有無、空き容量、書き込みが禁止されているか否か等を確認することにより、テープＭ１への記録が可能か否かを判断し、記録が可能な場合にはステップＳ６０９に処理を進め、記録が可能でない場合にはステップＳ６１２に処理を進める。
【００７４】
ステップＳ６０９では、システムコントローラＢ２は、例えばメモリカードＭ２の有無、空き容量、書き込みが禁止されているか否か等を確認することにより、メモリカードＭ２への記録が可能か否かを判断し、記録が可能な場合にはステップＳ６１０に処理を進め、記録が可能でない場合にはステップＳ６１１に処理を進める。
【００７５】
ステップＳ６１０は、テープＭ１への記録及びメモリカードＭ２への記録の双方が可能である場合に実行され、ステップＳ６１０では、システムコントローラＢ２による制御の下で、メインカメラＣ１の画像及びサブカメラＣ２の画像がそれぞれ設定された記録媒体に記録される。
【００７６】
ステップＳ６１１は、カメラＣ１、Ｃ２の双方の画像を記録することが設定されているにも拘わらずカードＭ２への記録が不能である場合に実行され、ステップＳ６１１では、システムコントローラＢ２は、画像合成モード（ＰｉｎＰ画像を記録するモード）が設定されているか否かを判断し、画像合成モードが選択されている場合にはステップＳ６０７に処理を進め、画像合成モードが選択されていない場合にはステップＳ６１４に処理を進める。画像合成モードは、スイッチ部ＳＷ及びＬＣＤパネルＶ１等によって構成されるユーザインターフェースを介して、予め、又は、ステップＳ６１１において、設定され得る。
【００７７】
ステップＳ６１２では、システムコントローラＢ２は、例えばメモリカードＭ２の有無、空き容量、書き込みが禁止されているか否か等を確認することにより、メモリカードＭ２への記録が可能か否かを判断し、記録が可能な場合にはステップＳ６１３に処理を進め、記録が可能でない場合にはステップＳ６２２に処理を進める。
【００７８】
ステップＳ６１３は、カメラＣ１、Ｃ２の双方の画像を記録することが設定されているにも拘わらずテープＭ１への記録が不能である場合に実行され、ステップＳ６１３では、システムコントローラＢ２は、画像合成モード（ＰｉｎＰ画像を記録するモード）が設定されているか否かを判断し、画像合成モードが選択されている場合にはステップＳ６１６に処理を進め、画像合成モードが選択されていない場合にはステップＳ６１４に処理を進める。画像合成モードは、スイッチ部ＳＷ及びＬＣＤパネルＶ１等によって構成されるユーザインターフェースを介して、予め、又は、ステップＳ６１３において、設定され得る。
【００７９】
ステップＳ６１４では、システムコントローラＢ２による制御の下で、記録が可能な記録媒体に対して、当該記録媒体に対する記録が指定されている画像のみを記録し、他方の画像が記録できないことを警告するためにステップＳ６２２に処理を進める。
【００８０】
ステップＳ６１５では、システムコントローラＢ２は、例えばメモリカードＭ２の有無、空き容量、書き込みが禁止されているか否か等を確認することにより、メモリカードＭ２への記録が可能か否かを判断し、記録が可能な場合にはステップＳ６１６に処理を進め、記録が可能でない場合にはステップＳ６２２に処理を進める。
【００８１】
ステップＳ６１６では、メインカメラＣ１の画像とサブカメラＣ２の画像の双方をメモリカードＭ２に記録するために、システムコントローラＢ２は、画像合成回路５０を含む画像処理回路Ｂ１を制御して、メインカメラＣ１の画像とサブカメラＣ２の画像を合成したＰｉｎＰ画像を生成させ、カードコントローラＢ４を制御して、そのＰｉｎＰ画像をメモリカードＭ２に記録させる。
【００８２】
ステップＳ６１８及びそれに続く処理は、通常記録モードにおける処理である。ステップＳ６１８では、システムコントローラＢ２は、メインカメラＣ１の画像を記録する記録媒体についての設定を確認する。ここで、メインカメラＣ１の画像を記録する記録媒体は、スイッチ部ＳＷ及びＬＣＤパネルＶ１等によって構成されるユーザインターフェースを介して予め設定され得る。システムコントローラＢ２は、記録媒体としてテープＭ１が設定されている場合にはステップＳ６１９に処理を進め、記録媒体としてメモリカードＭ２が設定されている場合にはステップＳ６２０に処理を進める。
【００８３】
ステップＳ６１９では、システムコントローラＢ２は、例えばテープＭ１の有無、空き容量、書き込みが禁止されているか否か等を確認することにより、テープＭ１への記録が可能か否かを判断し、記録が可能な場合にはステップＳ６２１に処理を進め、記録が可能でない場合にはステップＳ６２２に処理を進める。
【００８４】
ステップＳ６２０では、システムコントローラＢ２は、例えばメモリカードＭ２の有無、空き容量、書き込みが禁止されているか否か等を確認することにより、メモリカードＭ２への記録が可能か否かを判断し、記録が可能な場合にはステップＳ６２１に処理を進め、記録が可能でない場合にはステップＳ６２２に処理を進める。
【００８５】
ステップＳ６２１では、システムコントローラＢ２による制御の下で、設定された記録媒体に対して、メインカメラＣ１の画像を記録する。
【００８６】
ステップＳ６２２では、システムコントローラＢ２は、合成用データ発生回路（ＣＧ）Ｂ５を制御し、設定された条件で画像を記録することができないことを伝える警告情報を生成させて、ＬＣＤパネルＶ１及び／又は電子ファインダーＶ２に表示させる。この警告は、記録媒体へ記録が可能か否かに関する確認結果に従ってなされ、例えば、「テープがありません」、「カードがいっぱいです」等のメッセージが含まれ得る。
【図面の簡単な説明】
【００８７】
【図１】本発明の好適な実施形態の電子カメラの構成を概略的に示す図である。
【図２】電子カメラにおけるメインカメラ及びサブカメラによってそれぞれ撮像された画像の表示方法を概念的に示す図である。
【図３】本発明の好適な実施形態の電子カメラ１００の概観の設計例及び機能を説明するための図である。
【図４】画像処理回路の構成例を概略的に示すブロック図である。
【図５】電子カメラにおける画像の表示及び記録に関する処理の流れを示す例示的に示すフローチャートである（第１の実施形態）。
【図６】電子カメラにおける画像の表示及び記録に関する処理の流れを示す例示的に示すフローチャートである（第２の実施形態）。
【図７】表示例を示す図である。
【図１】
2006033611.tif 000003
【図２】
2006033611.tif 000004
【図３】
2006033611.tif 000005
【図４】
2006033611.tif 000006
【図５】
2006033611.tif 000007
【図６】
2006033611.tif 000008
【図７】
2006033611.tif 000009